(57)【要約】      （修正有）【課題】モバイル端末とネットワークを通じて連結されたコンピュータで実行される前記モバイル端末を遠隔制御する。【解決手段】コンピュータの画面にモバイル端末を制御するデータの入力を受けるためのユーザインターフェースである遠隔制御ウィンドウを表示するステップと、前記コンピュータの入力装置の操作を通じたテキストデータの入力を感知する場合、前記入力が感知されたテキストデータを前記遠隔制御ウィンドウの特定部分に表示するテキストデータ感知及び表示ステップと、前記コンピュータの入力装置を通じて既に定まった値が入力されると、前記遠隔制御ウィンドウの特定部分に表示されたテキストデータを前記モバイル端末に伝送するステップとを含む遠隔制御方法を含んで構成される。【選択図】図２
2013172459.tif 000002
【特許請求の範囲】
【請求項１】
モバイル端末と有線または無線で連結されたコンピュータで実行される前記モバイル端末を遠隔制御する方法であって、
前記コンピュータの画面に前記モバイル端末を制御するデータの入力を受けるためのユーザインターフェースである遠隔制御ウィンドウを表示するステップと、
前記コンピュータの入力装置の操作を通じたテキストデータの入力を感知する場合、前記入力が感知されたテキストデータを前記遠隔制御ウィンドウの特定部分に表示するテキストデータ感知及び表示ステップと、
前記コンピュータの入力装置を通じて既に定まった値が入力されると、前記遠隔制御ウィンドウの特定部分に表示されたテキストデータを前記モバイル端末に伝送するステップと、を含むことを特徴とする遠隔制御方法。
【請求項２】
前記テキストデータ感知及び表示ステップは、前記遠隔制御ウィンドウがアクティブウィンドウの状態で前記コンピュータのキーボードまたはマウス操作を通じて入力されるテキストデータの入力を感知することを特徴とする、請求項１に記載の遠隔制御方法。
【請求項３】
前記テキストデータ感知及び表示ステップは、前記コンピュータのクリップボードに保存されたデータを持ち込むための前記コンピュータのキーボードまたはマウスの操作を感知する場合、前記クリップボードに保存されたデータを前記遠隔制御ウィンドウの特定部分に表示することを特徴とする、請求項１又は請求項２に記載の遠隔制御方法。
【請求項４】
前記遠隔制御ウィンドウの特定部分に表示されたテキストデータは、前記モバイル端末のアクティブウィンドウに伝送されることを特徴とする、請求項１に記載の遠隔制御方法。
【請求項５】
前記モバイル端末に伝送するステップは、前記遠隔制御ウィンドウの特定部分に表示されたテキストデータを前記モバイル端末に伝送した後、前記遠隔制御ウィンドウの特定部分を初期化することを特徴とする、請求項１又は請求項４に記載の遠隔制御方法。
【請求項６】
遠隔制御方法は、前記コンピュータの入力装置を通じて既に定まった値が入力されると、前記遠隔制御ウィンドウの特定部分を初期化するステップをさらに含むことを特徴とする、請求項１に記載の遠隔制御方法。
【請求項７】
有線または無線で連結されたコンピュータから受信したデータにより制御されるモバイル端末で実行される遠隔制御方法であって、
前記受信したデータがテキストデータであるか否かを判断するステップと、
前記判断結果、前記受信したデータがテキストデータであれば、前記受信したデータを前記モバイル端末のアクティブウィンドウ上のテキスト入力コントロールに表示するステップを含むことを特徴とする遠隔制御方法。
【請求項８】
前記テキストデータであるか否かを判断するステップは、前記受信したデータに既に定まった値が含まれた場合、前記受信したデータをテキストデータであると判断することを特徴とする、請求項７に記載の遠隔制御方法。
【請求項９】
前記アクティブウィンドウのテキスト入力コントロールは、前記モバイル端末の操作を通じて入力されるテキストの表示または編集のために前記アクティブウィンドウ上に提供されるユーザインターフェースであることを特徴とする、請求項７に記載の遠隔制御方法。
【請求項１０】
前記遠隔制御方法は、
前記受信したデータが、前記モバイル端末に対する遠隔制御命令と関連されたか否かを判断するステップをさらに含み、
前記判断結果、前記受信したデータが前記モバイル端末に対する遠隔制御命令と関連された場合、前記テキストデータであるか否かを判断するステップと、前記テキスト入力コントロールに表示するステップとを実行することを特徴とする、請求項７に記載の遠隔制御方法。
【請求項１１】
コンピュータの画面に表示された遠隔制御ウィンドウを通じてモバイル端末を遠隔制御しながら、前記コンピュータの入力装置の操作を通じて感知されたテキストデータを前記遠隔制御ウィンドウの特定部分に表示し、前記コンピュータの入力装置を通じて既に定まった値が入力されると、前記遠隔制御ウィンドウの特定部分に表示されたテキストデータを前記モバイル端末に伝送する遠隔制御装置と、
前記コンピュータから受信したデータにより遠隔制御されながら、受信したデータがテキストデータであれば、前記受信したテキストデータをアクティブウィンドウ上のテキスト入力コントロールに表示するモバイル端末と、を含むことを特徴とする遠隔制御システム。
【請求項１２】
前記遠隔制御装置は、前記遠隔制御ウィンドウがアクティブウィンドウの状態で前記コンピュータのキーボードまたはマウス操作を通じて入力されるテキストデータの入力を感知するか、または前記コンピュータのクリップボードに保存されたデータを持ち込むための前記コンピュータのキーボードまたはマウスの操作を感知する場合、前記クリップボードに保存されたデータを前記遠隔制御ウィンドウの特定部分に表示することを特徴とする、請求項１１に記載の遠隔制御システム。
【請求項１３】
前記モバイル端末は、前記受信したデータに既に定まった値が含まれた場合、前記受信したデータをテキストデータであると判断することを特徴とする、請求項１１に記載の遠隔制御システム。
【発明の詳細な説明】
【技術分野】
【０００１】
本発明は、モバイル端末の遠隔制御方法及び装置に関し、より詳細には、ネットワークを通じて連結されたモバイル端末機を、コンピュータを利用して遠隔で制御できるようにする遠隔制御方法及び装置に関する。
【背景技術】
【０００２】
ＰＣ(Ｐｅｒｓｏｎａｌ Ｃｏｍｐｕｔｅｒ)遠隔制御は、地域的に遠く離れているか分散されているＰＣを遠隔地で接続して制御する技術として、インターネットを介してユーザのＰＣを遠隔で使うようにすることで、インターネットに連結されているコンピュータを通じて遠く離れているユーザのＰＣのすべての機能を、画面を見ながらそのまま使うことができる技術である。
【０００３】
このような利便性のため、現在、遠隔制御は企業ユーザを越えて個人ユーザにまで広く普及されて来ており、単純に企業でユーザＰＣを監視、管理する次元から脱して個人ユーザも家で会社、または会社で家に遠隔制御ツールを利用して自分のＰＣを制御することが増えている。
【０００４】
一方、スマートフォンのようなモバイル端末機を利用したインターネット使用が普遍化されることにつれ、ＰＣを通じてスマートフォンを遠隔で制御するためのアプリケーションも開発されている。しかし、ＰＣ対ＰＣ方式の遠隔制御とは異なりタッチスクリーン方式を使用するスマートフォンを、ＰＣを利用して遠隔制御するためには、仮想のキーパッドを使わなければならない。これは複雑な操作を要求するテキストを入力する際に不便であった。
【発明の概要】
【発明が解決しようとする課題】
【０００５】
したがって、本発明は上述のような従来技術の問題点を解決するためになされたもので、その目的は、複雑な操作を要求するテキストを便利に入力することができるモバイル端末を遠隔制御する方法を提供することにある。
【０００６】
また、本発明の他の目的は、複雑な操作を要求するテキストを便利に入力することができるモバイル端末を遠隔制御する装置を提供することにある。
【課題を解決するための手段】
【０００７】
前記目的を達成するための本発明の一実施形態は、モバイル端末とネットワークを介して連結されたコンピュータで実行される前記モバイル端末を遠隔制御する方法であって、前記コンピュータの画面に前記モバイル端末を制御するデータの入力を受けるためのユーザインターフェースである遠隔制御ウィンドウを表示するステップと、前記コンピュータの入力装置の操作を通じたテキストデータの入力を感知する場合、前記入力が感知されたテキストデータを前記遠隔制御ウィンドウの特定部分に表示するテキストデータ感知及び表示ステップと、前記コンピュータの入力装置を通じて既に定まった値が入力されると、前記遠隔制御ウィンドウの特定部分に表示されたテキストデータを前記モバイル端末に伝送するステップと、を含む遠隔制御方法を提供する。
【０００８】
前記目的を達成するための本発明の他の実施形態は、ネットワークを介して連結されたコンピュータから受信したデータにより制御されるモバイル端末で実行される遠隔制御方法であって、前記受信したデータがテキストデータであるか否かを判断するステップと、前記判断結果、前記受信したデータがテキストデータであれば、前記受信したデータを前記モバイル端末のアクティブウィンドウ上のテキスト入力コントロールに表示するステップと、を含む遠隔制御方法を提供する。
【発明の効果】
【０００９】
上述のような本発明によるモバイル端末を遠隔制御する方法及び遠隔制御装置を利用する場合、仮想のキーパッドだけではなくコンピュータのキーボードなどのような入力装置を利用してテキストデータを入力できるようにするユーザインターフェースを提供することで、ユーザの便宜を提供することができる。
【００１０】
これは、コンピュータのキーボードを通じて入力されるデータを表示するテキストボックスを遠隔制御ウィンドウに表示し、このように入力されるテキストを特定時点で制御対象モバイル端末に伝送することができる。このような方法は、仮想キーパッドを通じて入力を受けた値をモバイル端末に伝送する方法と同様の効果を示すとともに一層便利なユーザインターフェースを提供することができる。特に、複雑な操作を要求する特殊文字やハングル、日本語、中国語など２Ｂｙｔｅ(Ｕｎｉｃｏｄｅ)入力を必要とする場合、より有効である。
【００１１】
また、仮想キーパッドを利用する場合にはマウス操作時ごとにデータ伝送が発生するが、キーボード操作を通じたテキストを入力する場合には、希望するデータがすべて入力されるまで待ってから、伝送するか取り消すことができるので、伝送効率を高める効果がある。
【図面の簡単な説明】
【００１２】
【図１】図１は、本発明の一実施形態によるモバイル端末遠隔制御システムの概念的構成を示す概念図である。
【００１３】
【図２】図２は、本発明の一実施形態によるコンピュータでモバイル端末を遠隔制御する過程を説明するフローチャートである。
【００１４】
【図３】図３は、本発明の一実施形態によるモバイル端末遠隔制御装置の構成要素及び構成要素間の関係を示すブロック図である。
【００１５】
【図４】図４は、本発明の一実施形態によるモバイル端末が遠隔制御される過程を示すブロック図である。
【発明を実施するための形態】
【００１６】
本発明は、多様に変更可能であり、さまざまな実施形態を有することができる。ここでは、特定の実施形態を図面に例示して詳細に説明する。しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【００１７】
第１、第２及びＡ、Ｂなどの用語は、多様な構成要素を説明するために使うことができ、前記構成要素は前記用語により限定されるものではない。前記用語は、その構成要素を他の構成要素と区別するためのものである。例えば、本発明の権利範囲を脱しない範囲内で、第１の構成要素は、第２の構成要素と命名することができ、類似に第２の構成要素も第１の構成要素と命名することができる。『及び/または』という用語は、複数の関連する記載項目の組み合わせまたは複数の関連する記載項目の中でいずれの項目を含む。
【００１８】
ある構成要素が他の構成要素に『連結』または『接続』されると記載した場合、その構成要素はその他の構成要素に直接的に連結されるか、または接続されることができ、各構成要素の間にまた他の構成要素が『連結』または『接続』されることもできると理解しなければならない。一方、ある構成要素に他の構成要素が『直接連結』または『直接接続』されると記載した場合には、各構成要素の間にまた他の構成要素が存在しないことと理解するべきである。
【００１９】
本明細書で使用した用語は、特定の実施形態のみを説明するために使用されたもので、本発明はこれに限定されるものではない。単数の表現は、文脈上明示しない限り複数の表現を含む。本出願において、「含む」または「有する」などの用語は、明細書上に記載された特徴、数字、ステップ、動作、構成要素、部品またはこれらを組み合わせたものが存在することを指定するもので、一つまたはその以上の他の特徴や数字、ステップ、動作、構成要素、部品またはこれらを組み合わせたものなどの存在または付加可能性をあらかじめ排除しないことと理解されるべきである。
【００２０】
特定しない限り、技術的や科学的な用語を含んでここで使用されるすべての用語は、本発明が属する技術分野で通常の知識を有する者が一般的に理解できるものと同等の意味を有している。一般的に使用される辞書に定義されている用語は、関連技術の文脈上の意味と一致する意味を有するものと解釈し、本出願において明白に定義しない限り、理想的や過度に形式的な意味に解釈されない。
【００２１】
以下、添付の図面を参照して本発明の好ましい実施形態について詳細に説明する。本発明の説明において、図面上の同一構成要素に対しては同一の参照符号を付与し、その重複説明は省略する。
【００２２】
図１は、本発明の一実施形態によるモバイル端末遠隔制御システムの概要的構成を示す概念図である。
【００２３】
図１を参照すれと、本発明の一実施形態によるモバイル端末遠隔制御システムは、モバイル端末２０を制御するようにコンピュータに設置された遠隔制御装置を含んで構成される。また、遠隔制御装置は、コンピュータ画面１０にモバイル端末２０を遠隔制御するためのユーザインターフェースである遠隔制御ウィンドウ１１を提供して遠隔制御ウィンドウ１１に入力される値をモバイル端末２０に伝送するように構成することができる。
【００２４】
この時、モバイル端末は、スマートフォンのような携帯用電話機を含むことができる。
【００２５】
一方、遠隔制御ウィンドウ１１の内部には、コンピュータの入力装置(例えば、キーボード)を通じて入力されるテキスト値を表示することができるテキストデータフィールド１２が含まれる。例えば、遠隔制御ウィンドウ１１が活性化された状態、すなわち、遠隔制御ウィンドウ１１がアクティブウィンドウの状態でキーボード入力を通じてテキスト値が入力される場合、該当テキスト値がテキストデータフィールド１２に表示される。
【００２６】
または、クリップボードを利用するテキスト値のコピーや移動(例えば、マウスの右側ボタンやキーボードのコントロールキーを利用して)を通じて入力されるテキストもテキストデータフィールド１２に表示されてもよい。
【００２７】
このようにテキストデータフィールド１２に表示されるテキスト値は、特定キーまたはマウス操作を通じて、例えば、エンターキー入力のように既に定まった値が入力されると、モバイル端末２０に伝送される。
【００２８】
このようにキーボードを通じて入力されたテキストは、モバイル端末２０の画面を制御するためにコンピュータ画面１０上の遠隔制御ウィンドウ１１に仮想キーパッドを表示してマウスなどを通じて入力を受けた値をモバイル端末２０に伝送する方法と同様の効果を示しながら一層便利なユーザインターフェースを提供することができる。特に、複雑な操作を要求する特殊文字やハングル、日本語、中国語など２Ｂｙｔｅ(Ｕｎｉｃｏｄｅ)入力を必要とする場合に、より有効である。
【００２９】
また、仮想キーパッドを利用する際にはマウス操作ごとにデータ伝送が発生するが、キーボード操作を通じてテキストを入力する場合には、希望するデータがすべて入力されるまで待ってから伝送するか取り消すことができるので、伝送効率を高めることができる。
【００３０】
一方、このような方法では遠隔制御ウィンドウ１１に仮想のキーパッドを提供する必要はないが、ユーザの便宜によって仮想のキーパッドを併用してもよい。この時、入力される値は制御されるモバイル端末２０の入力装置の種類や状態とは独立的である。
【００３１】
図２は、本発明の一実施形態によるモバイル端末を遠隔制御する過程を説明するフローチャートである。
【００３２】
図２を参照すると、本発明の一実施形態によるモバイル端末の遠隔制御過程は、モバイル端末とネットワークを通じて連結されたコンピュータで実行される方法による過程において、遠隔制御ウィンドウ表示ステップ(ステップＳ２１０)と、テキストデータ感知及び表示ステップ(ステップＳ２２０)と、テキストデータ伝送ステップ(ステップＳ２３０)と、テキストデータ初期化ステップ(ステップＳＳ２４０)と、を含んで構成することができる。
【００３３】
また、図２を参照すると、本発明の一実施形態によるモバイル端末の遠隔制御過程の各ステップは、次のように説明することができる。
【００３４】
遠隔制御ウィンドウ表示ステップ(ステップＳ２１０)では、コンピュータの画面にモバイル端末を遠隔制御するためのユーザインターフェースである遠隔制御ウィンドウを表示する。すなわち、遠隔制御ウィンドウを通じて入力されるデータや命令をモバイル端末に伝送することでモバイル端末を制御する。
【００３５】
例えば、遠隔制御ウィンドウに入力されるデータは、遠隔制御対象モバイル端末の活性化されたウィンドウに入力されることのような効果を示すようになる。
【００３６】
この時、遠隔制御ウィンドウに仮想キーパッドを表示するかコンピュータのキーボードを通じてデータを入力することで、モバイル端末で直接データを入力することと同様の効果を示す。
【００３７】
テキストデータ感知及び表示ステップ(ステップＳ２２０)では、コンピュータの入力装置の操作を通じたテキストデータの入力を感知する場合、入力されるテキストデータを遠隔制御ウィンドウの特定部分に表示する。
【００３８】
例えば、コンピュータの画面に表示された遠隔制御ウィンドウが活性化された状態で、すなわち、遠隔制御ウィンドウがアクティブウィンドウの状態でコンピュータのキーボードやマウスによるテキスト入力が感知される場合、入力が感知されたテキストを遠隔制御ウィンドウのあらかじめ指定された位置に表示することができる。
【００３９】
また、コンピュータのキーボード上のキーに対応するテキストデータだけではなくクリップボードに保存されたデータを持ち込むためのコンピュータのキーボードの操作(例えば、Ｃｔｒｌ Ｃ/Ｃｔｒｌ Ｖのような)やマウス右側ボタンの操作を感知する場合、クリップボードに保存されたデータを遠隔制御ウィンドウの特定部分に表示してもよい。
【００４０】
このようなコンピュータの入力装置を通じたテキストデータの入力方法は、図１を参照して説明したように、仮想キーパッドを通じて入力する方法より、一層便利なユーザインターフェースを提供する。特に、仮想キーパッドを利用する時、複雑になり且つ多段階の操作を要求するようになる特殊文字入力の場合に、簡単にキーボード操作を通じてデータを入力することができる。
【００４１】
テキストデータ伝送ステップ(ステップＳ２３０)では、コンピュータの入力装置を通じて既に定まった値が入力されると、遠隔制御ウィンドウの特定部分に表示されたテキストデータをモバイル端末またはモバイル端末のアクティブウィンドウに伝送する。
【００４２】
例えば、エンターキーを押すと、遠隔制御ウィンドウの特定部分に表示されたテキストデータがモバイル端末に伝送されるようにすることができる。また、テキストデータをモバイル端末に伝送した後に遠隔制御ウィンドウの特定部分を初期化することができる。
【００４３】
テキストデータ初期化ステップ(ステップＳ２４０)は、コンピュータの入力装置を通じて既に定まった値(例えば、Ｅｓｃキーに対応する値)が入力されると、遠隔制御ウィンドウの特定部分に表示されたテキストデータを初期化する、例えば、前記特定部分を空白で作るステップである。すなわち、テキストデータを入力したが伝送しないでキャンセルしたい場合、既に定まった値が入力されると、遠隔制御ウィンドウに表示されたテキストデータをモバイル端末に伝送しないで消してしまう。
【００４４】
これは、伝送を確認するキーの操作(例えば、テキスト値の入力後にエンターキーを押すか機能キーを押すこと)がない限り、入力されたテキストは遠隔制御ウィンドウにのみ表示され、モバイル端末に伝送されないから可能である。
【００４５】
図３は、本発明の一実施形態によるモバイル端末遠隔制御装置の構成要素及び構成要素間の関係を示すブロック図である。
【００４６】
図３を参照すると、本発明の一実施形態によるモバイル端末遠隔制御装置は、モバイル端末とネットワークを通じて連結されたコンピュータ上で前記モバイル端末を制御する遠隔制御装置３００として、遠隔制御ウィンドウ提供手段３１０と、テキストデータ感知及び表示手段３２０と、テキストデータ伝送手段３３０と、テキストデータ初期化手段３４０と、を含んで構成される。
【００４７】
また、図３を参照すると、本発明の一実施形態によるモバイル端末遠隔制御装置の構成要素及び構成要素間の関係は、次のように説明することができる。
【００４８】
遠隔制御ウィンドウ提供手段３１０は、コンピュータ画面１０にモバイル端末２０を制御するデータの入力を受けるためのユーザインターフェースである遠隔制御ウィンドウ１２を提供する。
【００４９】
テキストデータ感知及び表示手段３２０は、コンピュータの入力装置(図示せず)の操作を通じたテキストデータの入力を感知する場合、入力されるテキストデータを遠隔制御ウィンドウ１１のテキストデータフィールド１２に表示する。
【００５０】
この時、テキストデータ感知及び表示手段３２０は、遠隔制御ウィンドウがアクティブウィンドウの状態でコンピュータの入力装置、例えば、キーボードまたはマウスの操作を通じて入力されるテキストデータの入力を感知することができる。
【００５１】
また、テキストデータ感知及び表示手段３２０は、前記コンピュータのクリップボードに保存されたデータを持ち込むためのコンピュータのキーボードまたはマウスの操作を感知する場合(例えば、マウス右側ボタンを利用するかキーボードのコントロールキーを利用したクリップボード上のデータの持ち込み)、該当クリップボードのデータを遠隔制御ウィンドウ１１のテキストデータフィールド１２に表示することができる。
【００５２】
テキストデータ伝送手段３３０は、コンピュータの入力装置を通じて既に定まった値が入力されると、遠隔制御ウィンドウ１１のテキストデータフィールド１２に表示されたテキストデータをモバイル端末２０に伝送する。
【００５３】
この時、テキストデータ伝送手段３３０は、テキストデータフィールド１２に表示されたテキストデータをモバイル端末２０のアクティブウィンドウ２１に伝送することができ、伝送後、テキストデータフィールド１２を初期化することができる。
【００５４】
テキストデータ初期化手段３４０は、コンピュータの入力装置を通じて既に定まった値が入力されると、テキストデータフィールド１２を初期化する。例えば、ユーザがテキストデータフィールド１２に表示された値をモバイル端末２０に伝送しないで取り消したい場合、コンピュータのキーボードの機能キーや既に定義されたショートカットキーを押すと、テキストデータフィールド１２のデータを除去することで不要なデータ伝送を前もって防止することができる。
【００５５】
図４は、本発明の一実施形態によるモバイル端末が遠隔制御される過程を示すブロック図である。
【００５６】
図４を参照すると、本発明の一実施形態によるモバイル端末が遠隔制御される過程は、制御データ受信ステップ(ステップＳ４１０)と、テキストデータ判断ステップ(ステップＳ４２０)と、テキストデータ表示ステップ(ステップＳ４３０)と、命令実行ステップ(ステップＳ４４０)と、を含む。また、前記過程は、ネットワークを通じて連結されたコンピュータにより制御されるモバイル端末で実行することができる。
【００５７】
図４を参照すると、本発明の一実施形態によるモバイル端末が遠隔制御される過程の各ステップは、次のように説明することができる。
【００５８】
遠隔制御データ受信ステップ(ステップＳ４１０)では、モバイル端末を制御するコンピュータから前記モバイル端末を制御するための命令などを受信する。すなわち、モバイル端末には、前記コンピュータから制御できるプログラムが既に設置され駆動中であり、よって、前記コンピュータにより制御される状態である。
【００５９】
したがって、モバイル端末は、前記制御するコンピュータの遠隔制御ウィンドウを通じて入力されるデータを受信する場合、これを遠隔制御のための命令であると判断することができるが、これに限定されるものではない。
【００６０】
テキストデータ判断ステップ(ステップＳ４２０)では、コンピュータに受信した制御データがテキストデータであるか否かを判断する。例えば、受信したデータが仮想キーパッドの座標値ではない文字列であれば、テキストデータであると判断することができる。また、受信したデータに既に定まった値が含まれている場合、テキストデータであると判断できる。
【００６１】
例えば、制御コンピュータの遠隔制御ウィンドウに表示されたキーパッドをマウスで操作して入力された値が伝送されたことではなく、前の実施例で説明したように、制御コンピュータでキーボードやマウスの操作を通じて入力されたテキストを遠隔制御ウィンドウに表示し、表示されたテキストを一括的に伝送したデータを上述したテキストデータであると判断することができる。また、この場合、制御コンピュータで前記テキストデータを伝送する際、テキストデータの伝送であることを知らせるために既に約束された所定値を含ませて伝送してもよい。
【００６２】
テキストデータ表示ステップ(ステップＳ４３０)では、テキストデータ判断ステップ(ステップＳ４２０)で判断した結果、受信したデータがテキストデータであれば、受信したデータをモバイル端末のアクティブウィンドウ上のテキスト入力コントロールに表示する。
【００６３】
この時、アクティブウィンドウのテキスト入力コントロールは、モバイル端末の操作を通じて入力されるテキストの表示または編集のために前記アクティブウィンドウ上に提供されるユーザインターフェースであってもよい。
【００６４】
命令実行ステップ(ステップＳ４４０)では、テキストデータ判断ステップ(ステップＳ４２０)で判断した結果、受信したデータがテキストデータではない場合、該当データに対応する既に定まった制御命令を実行する。
【００６５】
以上において説明した本発明は、本発明が属する技術の分野における通常の知識を有する者であれば、本発明の技術的思想を逸脱しない範囲内で、様々な置換、変形及び変更が可能であるので、上述した実施例及び添付の図面に限定されるものではない。
【図２】
2013172459.tif 000003
【図３】
2013172459.tif 000004
【図４】
2013172459.tif 000005
【図１】
2013172459.tif 000006